(57)【要約】【課題】共用可能な部品は破棄することなく繰り返して使用できるようにするとともに、使用者に交換時の手間を掛けさせない便利な転写具を提供する。【解決手段】転写対象物に転写される転写物Ｔとそれを収容する本体部１とを有する交換カートリッジＡ１と、それを挿抜可能に内蔵するケースＡ２と、この両者の係り合いを解除する操作部１２ｘとを具備する転写具Ａにおいて、ケースＡ２を、ケース本体２に保持された状態でそれとの相対距離を変化し得る可動部３材を具備するものとして、可動部材３に、交換カートリッジＡ１の一部と係り合って転写物Ｔを送り出すための駆動部材Ｇ１、Ｇ２を設け、ケース本体２と可動部材３との間に形成した係合部Ｙにおける係り合いを、操作部材３に対する操作によって解除して可動部材３をケース本体２から離間させるとともに、交換カートリッジＡ２と駆動部材Ｇ１、Ｇ２との係り合いを解除して、交換カートリッジＡ１をケース本体２から取り出し得るように構成した。【選択図】図２
2005028670.tif 000002
【特許請求の範囲】
【請求項１】
転写対象物に転写される転写物と該転写物を収容する本体部とを有する交換カートリッジと、該交換カートリッジを挿抜可能に内蔵するケースと、前記交換カートリッジとケースとの係り合いを解除する操作部とを具備してなり、該ケースを、ケース本体と、このケース本体に保持された状態で該ケース本体との相対距離を変化し得る可動部材とを具備するものとして、該可動部材に、前記交換カートリッジの一部と係り合って転写物を転写対象物へ送り出すための駆動部材を設け、ケース本体と可動部材との間に係脱可能な係合部を形成し、前記操作部材に対する操作によって前記係合部におけるケース本体と可動部材との係り合いを解除して該可動部材をケース本体から離間させるとともに交換カートリッジと駆動部材との係り合いを解除して、交換カートリッジをケース本体から取り出し得るように構成していることを特徴とする転写具。
【請求項２】
前記ケース本体と可動部材との間に、可動部材をケース本体から離間させる方向へ力を付与する付勢部を設け、前記係合部においてケース本体と可動部材とが係り合った状態で前記付勢部が可動部材をケース本体から離間させる力を蓄勢し、前記操作部による係合部の係合解除によって付勢部における当該力が開放されるように構成している請求項１記載の転写具。
【請求項３】
前記本体部に操作部を形成している請求項１又は２記載の転写具。
【請求項４】
前記本体部において対向する位置に一対の前記操作部を形成している請求項３記載の転写具。
【請求項５】
前記駆動部と交換カートリッジとが係り合った位置で本体部をケース本体に保持させるストッパ部を形成し、前記操作部への操作によってストッパ部における本体部とケース本体との保持状態を解除するように構成している請求項１、２、３又は４記載の転写具。
【請求項６】
前記操作部に、使用者による操作を案内する操作ガイド部を形成している請求項１、２、３、４又は５記載の転写具。
【請求項７】
前記転写物が相互に重合されたテープ本体及び剥離テープからなるものであり、前記本体部が、当該転写物を巻き付けて保持し且つ巻き出す巻出用スプールと、テープ本体から剥離した剥離テープを巻き取る巻取用スプールと、転写対象物に接触して転写テープと剥離テープとを分離させる転写ヘッドとを保持している請求項１、２、３、４、５又は６記載の転写具。
【請求項８】
前記駆動部材が、前記巻出用スプールと係脱可能に係り合う巻出用ギアと、該巻出用ギアと直接又は間接に噛合し前記巻取用スプールと係脱可能に係り合う巻取用ギアとを具備している請求項７記載の転写具。
【発明の詳細な説明】
【０００１】
【発明の属する技術分野】
本発明は、転写物を転写対象面に転写する際に用いる転写具に関するものである。
【０００２】
【従来の技術】
粘着テープや粘着性を有しないテープ等のテープ類、固形糊又は接着剤等の転写物を転写対象面に転写する際に用いる転写具が従来から各種考えられている。このような転写具には、例えば転写物たる修正テープを保持する本体部を、修正テープの使用時に使用者が握ることになるケースに挿抜可能に内蔵させた構成のものが考えられている（例えば、特許文献１、特許文献２参照）。このような修正テープ用の転写具においては、修正テープの本体部分であるテープ本体とそれに重合された剥離テープとを巻出用スプールに巻き付けてあり、そこから修正テープを引き出して転写ヘッドを経由させ、剥離テープのみを巻取用スプールによって巻き取るという構成を有しているのが一般的である。特に特許文献１に記載のものは、巻出用スプールと巻取用スプールとがベルトによって同期回転するようになされており、本体部に巻出用スプール、巻取用スプール、ベルト及び転写ヘッドを予め保持させて一つの交換カートリッジとして構成し、修正テープの使用後には、この交換カートリッジごと新たな交換カートリッジと入れ替えるようにしてある。他方、特許文献２に記載のものは、巻出用スプールと巻取用スプールとがそれらとは別体の回転機構取付板に取り付けられた巻出用ギアと巻取用ギアとによって同期回転するようになされており、本体部に巻出用スプール、巻取用スプール、ベルト及び転写ヘッドを予め保持させて一つの交換カートリッジとして構成し、修正テープの使用後には、この交換カートリッジと回転機構取付板とを一旦ケースから取り出した後、交換カートリッジのみ新たなものと交換し、再度回転機構取付板と組み合わせてからそれらをケースに挿入するようにしてある。
【０００３】
【特許文献１】
特開２００２−５９６９２公報（図１等）
【特許文献２】
特開２００２−１２７６８２公報（図１等）
【０００４】
【発明が解決しようとする課題】
ところが、前者のような転写具であると、巻出用スプールと巻取用スプールとを同期させるベルトは再利用可能なものであるにも拘わらず、交換カートリッジの機構部品として組み付けられているので使用済の交換カートリッジと共に廃棄されることになり、省資源に反することになるうえ、交換カートリッジの価格もそれだけ高くついてしまうという問題がある。他方、後者のような転写具であると、巻出用スプールと巻取用スプールとを同期させる巻出用ギア及び巻取用ギアは修正テープを交換カートリッジごと交換しても再利用可能とされているが、使用者自身が新たな交換カートリッジと回転機構取付板との組立作業を行わなければならず、その点で使用者にとっては不便なものとなっている。なお、上述したような転写具の他にも、使用済の転写テープを保持する巻出用スプールと巻取用スプールのみを交換し、転写ヘッドは再使用するために交換せずに残しておくような構成も考えられるが、新たな転写テープを所定の経路どおりに巻出用スプール、転写ヘッド及び巻取用スプールの間に引き回す作業は使用者にとっては非常に複雑であるため、実用面からは交換作業を行いにくいものであるといえる。
【０００５】
そこで本発明は、以上のような問題に鑑みて、共用可能な部品は破棄することなく繰り返して使用できるようにするとともに、使用者に交換時の手間を掛けさせない便利な転写具の提供を主たる目的としている。
【０００６】
【課題を解決するための手段】
すなわち、本発明の転写具は、転写対象物に転写される転写物とそれを収容する本体部とを有する交換カートリッジと、この交換カートリッジを挿抜可能に内蔵するケースと、交換カートリッジとケースとの係り合いを解除する操作部とを具備してなり、ケースを、ケース本体と、このケース本体に保持された状態で当該ケース本体との相対距離を変化し得る可動部材とを具備するものとして、可動部材に、交換カートリッジの一部と係り合って転写物を転写対象物へ送り出すための駆動部材を設け、ケース本体と可動部材との間に係脱可能な係合部を形成し、操作部材に対する操作によって前記係合部におけるケース本体と可動部材との係り合いを解除して該可動部材をケース本体から離間させるとともに交換カートリッジと駆動部材との係り合いを解除して、交換カートリッジをケース本体から取り出し得るように構成していることを特徴とするものである。
【０００７】
このような転写具であれば、使用済の転写物と新品の転写物とを交換するに際して、交換カートリッジを入れ替えるだけの作業で済み、しかも駆動部材はケース側に残ったままであるので再度使用できることになって無駄にならず、省資源化にも寄与することができ、さらには交換カートリッジの低価格化を実現することができる。また、交換カートリッジの入れ替え作業時には、駆動部材を備えた可動部材がケース本体から外れてしまわないので、使用者による交換作業の便宜性も極めて高いものとなる。
【０００８】
特に、操作部材への操作によって自動的に可動部材を動作させ、交換カートリッジの交換をスムーズに行い得るようにするためには、ケース本体と可動部材との間に、可動部材をケース本体から離間させる方向へ力を付与する付勢部を設け、係合部においてケース本体と可動部材とが係り合った状態で付勢部が可動部材をケース本体から離間させる力を蓄勢し、操作部による係合部の係合解除によって付勢部における当該力が開放されるように構成することが望ましい。
【０００９】
また、操作部に対する操作作業と交換カートリッジの交換作業とを一挙に行い得るようにするには、本体部に操作部を形成するとよい。この場合、使用者が片手で且つワンアクションで操作部の操作と交換カートリッジの抜き出しを行うことができるようにするためには、本体部において対向する位置に一対の操作部を形成することが好適である。
【００１０】
一方、転写具の使用時には、交換カートリッジが不意にケースから抜け出さないようにするためには、駆動部と交換カートリッジとが係り合った位置で本体部をケース本体に保持させるストッパ部を形成することが好ましく、操作部への操作によってストッパ部による本体部とケース本体との保持状態が解除されるようにするとよい。
【００１１】
また、使用者の操作感を良好なものとしたり、操作箇所を示すためには、操作部に、使用者による操作を案内する操作ガイド部を形成することが好ましい。
【００１２】
なお、転写物が相互に重合されたテープ本体及び剥離テープからなるものである場合には、本体部を、転写物を巻き付けて保持し且つ巻き出す巻出用スプールと、テープ本体から剥離した剥離テープを巻き取る巻取用スプールと、転写対象物に接触して転写テープと剥離テープとを分離させる転写ヘッドとを保持したものとすることが望ましい。このようにすることで、各スプールと転写ヘッドとの間に転写物を引き回すという使用者にとっては極めて面倒な作業を解消することができる。この場合、ケース側すなわち可動部材に残して再利用可能とする駆動部材として好ましいものには、巻出用スプールと係脱可能に係り合う巻出用ギアと、巻出用ギアと直接又は間接に噛合して巻取用スプールと係脱可能に係り合う巻取用ギアとを有するものが挙げられる。
【００１３】
【発明の実施の形態】
以下、本発明の一実施形態を、図面を参照して説明する。
【００１４】
図１、図２及び図３に示すこの実施形態は、転写物たる修正テープＴを内部に収容しそれを使用するための転写具Ａである。なお、修正テープＴは、テープ本体Ｔ１と剥離テープＴ２との２枚貼り合わせ構造を有しており、剥離テープＴ２を転写具Ａ内に残してテープ本体Ｔ１のみが同じく転写具Ａに保持された転写ヘッドＫを通じて転写対象物たる紙面（図示省略）等に貼付される通常のものである。
【００１５】
転写具Ａは、修正テープＴを内部に収容し得る交換カートリッジＡ１と、この交換カートリッジＡ１を出し入れ可能に内蔵するケースＡ２とを主体とする。すなわちこの転写具Ａは、使用済の修正テープＴを新品の修正テープＴと交換を、新旧の交換カートリッジＡ１ごとケースＡ２に対する入れ替えにより行うことができるように構成されている。
【００１６】
まず交換カートリッジＡ１は、図１〜図４に示すように、テープ本体Ｔ１及び剥離テープＴ２とからなる修正テープＴと、この修正テープＴを保持する巻出用スプールＳＰ１及び巻取用スプールＳＰ２と、テープ本体Ｔ１を紙面等に転写する際に当該紙面等と接触する転写ヘッドＫと、これらを収容してなる本体部１とから構成される。
【００１７】
巻出用スプールＳＰ１は、例えば合成樹脂製の概略円筒状をなす部材であり、その外周壁の一部に相互に重合させたテープ本体Ｔ１及び剥離テープＴ２の一端部を固定して巻き付けたものである。また巻出用スプールＳＰ１の内周壁には、所定間隔を空けて複数の突条ＳＰ１ａをその周方向とは直交するように形成してある。一方、巻取用スプールＳＰ２は、巻出用スプールＳＰ１よりも小径な、例えば合成樹脂製の概略円筒状をなす部材であり、その外周壁の一部に剥離テープＴ２の他端部を固定して巻き付けたものである。また巻取用スプールＳＰ２の内周壁にも、所定間隔を空けて複数の突条ＳＰ２ａをその周方向とは直交するように形成してある。転写ヘッドＫは、巻出用スプールＳＰ１から引き出した修正テープＴを通過させて、紙面等に接触する先端部においてテープ本体Ｔ１と剥離テープＴ２とを分離させ、剥離テープＴ２のみをの巻取用スプールＳＰ２へ送るようにしたものである。
【００１８】
そして、交換カートリッジＡ１の本体部１は、これら巻出用スプールＳＰ１及び巻取用スプールＳＰ２を回転可能に保持するとともに、転写ヘッドＫを揺動可能に支持し、且つこの交換カートリッジ１をケースＡ２から抜き出す際に使用者が操作をするための操作部１２ｘを形成したものである。すなわちこの本体部１は、巻出用スプールＳＰ１、巻取用スプールＳＰ２、及び転写ヘッドＫを左右両側から挟み込む一対の側壁１１、１１と、操作部１２ｘを設定した操作壁１２とから構成してある。側壁１１、１１は、いずれも略同一の形状を有しており、前端部側に転写ヘッドＫを保持し、後端部側に操作壁１２を配置し、中央部後方寄りに巻出用スプールＳＰ１を保持し、中央部前方寄りに巻取用スプールＳＰ２を保持している。具体的に側壁１１、１１は、側面視概略卵形の板状をなしている。一方の側壁１１の前端部に転写ヘッドＫを回転可能に支持する支持軸１１ａを他方の側壁１１に向けて突出させている。この支持軸１１ａには、転写ヘッドＫの後端部側に形成した円筒部Ｋｂを嵌め込んで、転写ヘッドＫが側壁１１の開口する前端間より前方へ突出する先端部Ｋａに掛かる紙面等からの当接圧を吸収するように回転可能としているが、その回転範囲を一定に規制するために、何れか一方の側壁１１から内向きに突出させた規制片１１ｂに転写ヘッドＫの後端部に突出させて設けた舌片Ｋｃを当接させるようにしている。また、両側壁１１において巻出用スプールＳＰ１及び巻取用スプールＳＰ２を取り付けるべき位置には円形状をなす支持孔１１ｃを一対ずつ形成しており、対向位置にある支持孔１１ｃ、１１ｃに巻出用スプールＳＰ１及び巻取用スプールＳＰ２の各両側端部を嵌め込むことによって、これら巻出用スプールＳＰ１及び巻取用スプールＳＰ２が両側壁１１間で回転するようにしている。なお、両側壁１１、１１は、前端部において１箇所、中央部において２箇所、後端部において２箇所の合計５箇所で凹凸係合により組み立てられているが、転写具Ａの使用者自身がこれを分解する必要はない。また、両側壁１１、１１の前端部からに中央部に亘る領域における上縁間、及び下縁間は、それぞれ上壁１３及び下壁１４によって閉塞してある。
【００１９】
操作壁１２は、この交換カートリッジＡ１をケースＡ２に挿入した際に転写具Ａ全体の後壁の主要部を構成するものであり、緩やかに湾曲する側壁１１、１１の後端部に沿って、側面視部分円弧状形状の湾曲板からなる。この操作壁１２は中央部において、何れか一方の側壁１１の後端部から一体に連続させてあり、その幅寸法は側壁１１、１１間距離に略対応する。そして、この側壁１１との連続部分から上端部側及び下端部側に亘る領域を、先端部側を開放させた操作片１２ａ、１２ａとしており、これら操作片１２ａ、１２ａ全体が、相互に相寄る方向又は相離れる方向へ弾性変形により若干撓むようにしている。さらに各操作片１２ａ、１２ａにおいて略対向位置にある先端部を操作部１２ｘ、１２ｘとしている。この操作部１２ｘ、１２ｘには、使用者が触れた感覚でその存在を認識できるように、それぞれ操作ガイド部１２ｂ、１２ｂを形成している。本実施形態ではこれら操作ガイド部１２ｂ、１２ｂを、球面状をなして外側へ突出させたものとしている。さらに、各操作片１２ａ、１２ａの操作部１２ｘ、１２ｘよりも先端側には、突出片１２ｃ、１２ｃを形成している。これら突出片１２ｃ、１２ｃの外面側には、それぞれ小さく突出する第１ストッパ要素１２ｄ、１２ｄを形成しており、内面側における突出片１２ｃ、１２ｃの基端部には、それぞれ小さく突出する押圧部１２ｅ、１２ｅを形成している。
【００２０】
ケースＡ２は、図１〜図４に示すように、上述した交換カートリッジＡ１を出し入れ可能に内蔵し得るように筐体状をなすものであり、ケース本体２と可動部材３とから構成される。本実施形態において可動部材３は、ケース本体２に取り付けた状態を維持しつつそのケース本体２との相対距離を交換カートリッジＡ１の挿抜に応じて変化させ得る構成を有している。
【００２１】
具体的にケース本体２は、交換カートリッジＡ１よりも一回り大きな筐体状をなし、後端部側に交換カートリッジＡ１の出し入れのための挿抜窓２５を開口させ、先端部側に転写ヘッドＫの先端部Ｋａを突出させ得る開口窓２６を開口させている。すなわち、ケース本体２は、例えば左右に対をなす側面視概略卵形をなし合成樹脂製の第１外側壁２１及び第２外側壁２２と、これらの上縁間及び下縁間を繋ぐ下壁２３及び上壁２４とから構成されており、これら各壁２１、２２、２３、２４同士の間に、後端部側においては交換カートリッジＡ１の操作壁１２に対応する大きさの挿抜窓２５を形成し、前端部側においては交換カートリッジＡ１を内蔵した際に転写ヘッドＫを前方へ突出し得る大きさの開口窓２６を形成している。また、第２外側壁２２には、可動部材３の形状に対応して概略卵形をなす開口部２２１を形成している。また、ケース本体２の下壁２３及び上壁２４には、内蔵した交換カートリッジＡ１をその使用位置で保持しておくために、前記第１ストッパ要素１２ｄ、１２ｄと係り合う第２ストッパ要素２７、２７を形成している。本実施形態において第２ストッパ要素２７、２７は、第１ストッパ要素１２ｄ、１２ｄを嵌め込むことができる小孔からなるものである。すなわち、これら第１ストッパ要素１２ｄ、１２ｄと第２ストッパ要素２７、２７とは、交換カートリッジＡ１をケース本体２に係り合わせて保持させるストッパ部ＳＴを構成するものである。また、ケース本体２の前端部には、挿入した交換カートリッジＡ１の転写ヘッドＫを保護するカバー２９を所定範囲で回転可能に取り付けている。なお、本実施形態では、下壁２３及び上壁２４の中央部を境にして、このケース本体２を第１外側壁２１側と第２外側壁２２との２パーツに分割可能な構成としており、適宜箇所でそれらを相互に嵌め合わせることとしているが、使用者自身がそれらを分解する必要は特にない。またこのケース本体２を一体成形により形成しても構わない。
【００２２】
可動部材３は、前記開口部２２１に対応する形状、すなわち概略卵形の板状部材であり、ケースＡ２に挿入した交換カートリッジＡ１の巻出用スプールＳＰ１及び巻取用スプールＳＰ２を転写具Ａの使用時において回転させる駆動部を有している。本実施形態においてこの駆動部材とは、巻出用スプールＳＰ１を回転させる巻出用ギアＧ１と、この巻出用ギアＧ１と噛み合って巻取用スプールＳＰ２を回転させる巻取用ギアＧ２とから構成したものである。ここで、巻出用ギアＧ１は、その中央部において可動部材３の内面における後端部側に形成した巻出用ギア支持軸３１に回転可能に取り付けてある。この巻出用ギア支持軸３１の先端部側には、巻出用ギアＧ１と同時に回転して巻出用スプールＳＰ１を回転駆動する概略円筒状をなす駆動軸Ｇ１ａを取り付けている。この駆動軸Ｇ１ａは、巻出用スプールＳＰ１の内周側に嵌り込むものであり、その外周には、巻出用スプールＳＰ１の内周面に形成した突条ＳＰ１ａと係り合う複数の突条Ｇ１ａ１を所定間隔を空けて形成している。一方、巻取用ギアＧ２は、巻出用ギアＧ１において可動部材３の内面における前端部側に形成した巻取用ギア支持軸３２に回転可能に取り付けてあり、巻出用ギアＧ１と巻取用ギアＧ２の各周縁部に形成された歯同士を噛合させている。この巻取用ギアＧ２は、巻取用スプールＳＰ２を回転駆動する概略円筒状をなす駆動軸Ｇ２ａを一体に有している。この駆動軸Ｇ２ａも、巻取用スプールＳＰ２の内周側に嵌り込むものであり、その外周には、巻取用スプールＳＰ２の内周面に形成した突条ＳＰ２ａと係り合う複数の突条Ｇ２ａ１を所定間隔を空けて形成している。
【００２３】
さらに可動部材３をケース本体２から離れる方向に付勢する付勢部Ｘを、ケース本体２と可動部材３との間に形成している。この付勢部Ｘは、ケース本体２において、第１外側壁２１の内面から下壁２３及び上壁２４の略中央部に形成した上下一対の筒状部２８、２８と、これら筒状部２８、２８内に収容したコイルバネＣＳ、ＣＳと、可動部材３の内面側から前記筒状部２８、２８内に挿入される一対の突起部３３、３３とから構成される。すなわち付勢部Ｘにおいては、縮められたコイルバネＣＳ、ＣＳが蓄勢する弾性付勢力によって突起部３３、３３がケース本体２から離れる方向に押し付けられている。なお、可動部材３がケース本体２から脱落するのを防止するために、筒状部２８、２８においてコイルバネＣＳ、ＣＳの伸縮方向にスリット２８ａ、２８ａを形成し、可動部材３がケース本体２から離れる方向に移動した際にこのスリット２８ａ、２８ａの上縁に当接する爪部３３ａ、３３ａを突起部３３、３３に形成して、各爪部３３ａ、３３ａを対応するスリット２８ａ、２８ａ内でスライド移動し得るようにしている。
【００２４】
また、前記コイルバネＣＳ、ＣＳを圧縮して可動部材３をケース本体２に最も近接させた位置では、可動部材３の外側面が第２外側壁２２の外側面と略面一となるが、その位置で可動部材３を留めておくために、ケース本体２と可動部材３との間に係脱可能な係合部Ｙを形成している。この係合部Ｙは、前記筒状部２８、２８よりも後端部側において、第２外側壁２２の開口部２２１に面して形成した上下一対の係止爪２２２、２２２と、可動部材３において前記各係止爪２２２、２２２の対応位置にケース本体２側へ突出させた一対の被係止片３４、３４とから構成される。ここで各被係止片３４、３４には、前記係止爪２２２、２２２の下向面と対向する上向面を有する被係止爪３４ａ、３４ａを形成してある。そして、可動部材３をケース本体２側へ押し込んだ位置で、係止爪２２２、２２２に被係止爪３４ａ、３４ａが当接し係り合うことで、その位置に可動部材３を保持するようにしている。なお、その状態では、被係止爪３４、３４の下端部と下壁２３及び上壁２４の各内面との間に、交換カートリッジＡ１の操作壁１２、１２の各先端部に形成した突出片１２ｃ、１２ｃが挿入されることになる。
【００２５】
次に、この転写具Ａにおける交換カートリッジＡ１の入れ替え方法について説明する。まず、図１、図３（ａ）、図５（ａ）に示すように、交換カートリッジＡ１がケースＡ２に挿入されており、付勢部ＸにおいてコイルバネＣＳが圧縮されており、係合部Ｙにおいて係止爪２２２、２２２に被係止爪３４ａ、３４ａが係り合って可動部材３がケース本体２に近接し、さらにストッパ部ＳＴにおいて第１ストッパ要素１２ｄ、１２ｄと第２ストッパ要素２７、２７とが係り合っている状態、すなわち転写具Ａが使用可能な状態にあるとする。この状態で転写テープＴ（テープ本体Ｔ１）を使い切って交換の必要が生じた際には、図３（ｂ）及び図５（ｂ）に示すように、使用者が、交換カートリッジＡ１における操作部１２ｘ、１２ｘにおける操作ガイド部１２ｂ、１２ｂを２本の指で外側から押さえる。そうすると、操作片１２ａ、１２ａが相寄る方向に弾性変形して撓むので、それに対応して第１ストッパ要素１２ｄ、１２ｄが第２ストッパ要素２７、２７から抜け出してストッパ部ＳＴにおける係合状態が解除されると同時に、突出片１２ｃ、１２ｃの押圧部１２ｅ、１２ｅが対応する被係止片３４、３４を相寄る方向へ弾性変形させる。これにより、被係止片３４、３４の被係止爪３４ａ、３４ａが係止爪２２２、２２２から外れ、係合部Ｙにおける係合状態が解除される。すると、圧縮により蓄積されていた力が開放されてコイルバネＣＳ、ＣＳが伸長し、筒状部２８、２８内で突起部３３、３３を押し上げて、可動部材３をケース本体２から離間させる。なお、可動部材３は、突起部３３、３３の爪部３３ａ、３３ａがスリット２８ａ、２８ａの上縁に当接した位置で停止する。それと同時に、巻出用ギアＧ１と共に設けられた駆動軸Ｇ１ａと巻取用ギアＧ２の駆動軸Ｇ２ａとがそれぞれ巻出用スプールＳＰ１と巻取用スプールＳＰ２から抜け出してそれらの係合状態が解除される。この状態において、図２及び図３（ｃ）に示すように、使用者が操作部１２ｘ、１２ｘにおける操作ガイド部１２ｂ、１２ｂを２本の指で外側から押さえたまま交換カートリッジＡ１をケースＡ２の挿抜窓２５を通じて引き出すことができるようになる。そして、新しい交換カートリッジＡ１を挿入する際には、挿抜窓２５を通じてその交換カートリッジＡ１をケースＡ２内に挿入し、可動部材３をケース本体２側へ押し込めば、転写具Ａを元の使用可能な状態に戻すことができる。
【００２６】
このように、本実施形態の転写具Ａは、操作部１２ｘ、１２ｘに対する操作によって交換カートリッジＡ１をケースＡ２から抜き出し、新たな交換カートリッジＡ１と交換することができるものであるが、その際、ケースＡ２の可動部材３に転写物たる転写テープＴを送り出すための機構部品である巻出用ギアＧ１、巻取用ギアＧ２、駆動軸Ｇ１ａ及び駆動軸Ｇ２ａが可動部材３と共にケースＡ２に残ることになるので、これらを交換することなく消耗品である転写テープＴの交換を行って、省資源化及び交換カートリッジＡ１の低価格化を図ることができる。また、交換カートリッジＡ１の挿抜時に、ケースＡ２を構成するケース本体２から離れるように移動した可動部材３がケース本体２に保持された状態を維持するように構成しているため、殆ど手間を掛けずに交換カートリッジＡ１の入れ替えを行うことができる。
【００２７】
特に可動部材３は、付勢部ＸのコイルバネＣＳによってケース本体２から離れる方向に付勢されているため、操作部１２ｘ、１２ｘへの操作を通じて自動的にケース本体２から離れるように動作し、それに伴って巻出用スプールＳＰ１と巻取用スプールＳＰ２とが自動的に巻出用ギアＧ１と巻取用ギアＧ２から開放されることとなり、交換カートリッジＡ１の入れ替えの作業性を飛躍的に向上することができる。
【００２８】
特に操作部１２ｘ、１２ｘは、交換カートリッジＡ１の本体部１に形成したものであり、しかも対向する位置に対をなして設けてあるので、使用者は片手で且つワンアクションで交換カートリッジＡ１をケースＡ２から取り出すことができ、非常に便利である。さらに操作部１２ｘ、１２ｘには、操作ガイド部１２ｂ、１２ｂを形成しているので、暗所での作業や目の不自由な使用者による作業も簡便に行うことができる。また、交換カートリッジＡ１とケースＡ２とが別体であるので、本体部１、特に操作部１２ｘ、１２ｘ等の色をケース本体２とは異なるようにすれば、商品としての転写具Ａのカラーバリエーションを豊富なものとすることができる。
【００２９】
なお、本発明は、上述した実施形態に限られるものではない。例えば、操作部をケース側に設けることや、付勢部として板バネやゴム等の弾性部材を適用するなど、各種の変更を行うことができる。また本発明は、転写物として修正テープのみならず、その他の粘着テープや粘着性を有しないテープ等のテープ類、固形のり又は接着剤等の転写対象物に転写される転写物一般に対して適用可能なものである。その他、各部の具体的構成についても同様に、上記実施形態に限られるものではなく、本発明の趣旨を逸脱しない範囲で種々変形が可能である。
【００３０】
【発明の効果】
以上に詳述したように、本発明の転写具によれば、操作部への操作によってケースと交換カートリッジとを分離し、その交換カートリッジを入れ替えるだけの作業で使用済の転写物と新品の転写物とを交換することができるだけでなく、転写物を転写対象物へ送り出す駆動部材をケース側に残しておくことができるので、それら駆動部材を再度使用することができることになって、交換カートリッジの低価格化を図り、ひいては無駄を省いて省資源化にも資することになる。また、交換カートリッジの入れ替え作業時には、駆動部材を備えた可動部材がケース本体から外れてしまわずケース本体に保持された状態が維持されるので、使用者自身により交換作業を極めて容易に行うことが可能である。
【図面の簡単な説明】
【図１】本発明の一実施形態を示す斜視図。
【図２】同分解斜視図。
【図３】同側面図。
【図４】図３（ａ）においてＩＶ−ＩＶ線で破断して示す概略断面図。
【図５】図３（ａ）において、Ｖ−Ｖ線で破断して示す概略断面図。
【符号の説明】
１…本体部
２…ケース本体
３・・・可動部材
１２ｂ・・・操作ガイド部
１２ｘ・・・操作部
Ａ・・・転写具
Ａ１・・・交換カートリッジ
Ａ２・・・ケース
Ｇ１、Ｇ２・・・駆動部材（巻出用ギア、巻取用ギア）
Ｋ・・・転写ヘッド
ＳＰ１・・・巻出スプール
ＳＰ２・・・巻取スプール
ＳＴ・・・ストッパ部
Ｔ・・・転写物（修正テープ）
Ｘ・・・付勢部
Ｙ・・・係合部
【図１】
2005028670.tif 000003
【図２】
2005028670.tif 000004
【図３】
2005028670.tif 000005
【図４】
2005028670.tif 000006
【図５】
2005028670.tif 000007